(57)【要約】【課題】飲むべき薬の量または種類に応じて適切なブリスターパックを選択することができる、ブリスターパック選択システム、ブリスターパック選択プログラム、およびブリスターパックの製造方法を提供する。【解決手段】ブリスターパック選択システム（１、１Ｂ、１００、３００、３００Ｂ）は、複数種類のブリスターパックのそれぞれに関する複数のブリスターパック情報を記憶するメモリ１２０と、少なくとも１つの薬のそれぞれに関する少なくとも１つの薬情報を取得して、メモリ１２０を参照することによって少なくとも１つの薬情報に対応するブリスターパックを選択するプロセッサ１１０とを備える。【選択図】図２
2013118921.tif 000002
【特許請求の範囲】
【請求項１】
複数種類のブリスターパックのそれぞれに関する複数のブリスターパック情報を記憶するメモリと、
少なくとも１つの薬のそれぞれに関する少なくとも１つの薬情報を取得して、前記メモリを参照することによって前記少なくとも１つの薬情報に対応する前記ブリスターパックを選択するプロセッサとを備える、ブリスターパック選択システム。
【請求項２】
前記メモリは、前記複数のブリスターパック情報と、薬の収納能力を示す情報との第１の対応関係を記憶し、
前記プロセッサは、前記第１の対応関係を参照することによって当該少なくとも１つの薬情報に対応する前記ブリスターパックを選択する、請求項１に記載のブリスターパック選択システム。
【請求項３】
前記メモリは、前記薬情報と薬のサイズとの第２の対応関係を記憶し、
前記プロセッサは、前記第２の対応関係を参照することによって当該少なくとも１つの薬情報に対応する前記ブリスターパックを選択する、請求項１または２に記載のブリスターパック選択システム。
【請求項４】
前記少なくとも１つの薬を格納する薬格納部と、
前記複数種類のブリスターパックを格納するブリスターパック格納部と、
前記少なくとも１つの薬を選択された前記ブリスターパックに投入するための投入部とをさらに備える、請求項１から３のいずれか１項に記載のブリスターパック選択システム。
【請求項５】
前記少なくとも１つの薬を格納する薬格納部と、
前記複数種類のブリスターパックの材料を格納する材料格納部と、
前記材料から前記選択された前記ブリスターパックを成型する成型部と、
前記少なくとも１つの薬を前記成型されたブリスターパックに投入するための投入部とをさらに備える、請求項１から３のいずれか１項に記載のブリスターパック選択システム。
【請求項６】
プロセッサと、複数種類のブリスターパックのそれぞれに関する複数のブリスターパック情報を記憶するメモリと、を含むコンピュータにブリスターパックを選択させるためのブリスターパック選択プログラムであって、前記プロセッサに、
少なくとも１つの薬のそれぞれに関する少なくとも１つの薬情報を取得するステップと、
前記メモリを参照することによって前記少なくとも１つの薬情報に対応する前記ブリスターパックを選択するステップとを実行させる、ブリスターパック選択プログラム。
【請求項７】
前記メモリは、前記複数のブリスターパック情報と、収納能力との第１の対応関係を記憶し、
前記ブリスターパックを選択するステップは、前記第１の対応関係を参照することによって当該少なくとも１つの薬情報に対応する前記ブリスターパックを選択するステップを含む、請求項６に記載のブリスターパック選択プログラム。
【請求項８】
前記メモリは、前記薬情報と薬のサイズとの第２の対応関係を記憶し、
前記ブリスターパックを選択するステップは、前記第２の対応関係を参照することによって当該少なくとも１つの薬情報に対応する前記ブリスターパックを選択するステップを含む、請求項６または７に記載のブリスターパック選択プログラム。
【請求項９】
前記コンピュータは、前記少なくとも１つの薬を格納する薬格納部と、前記複数種類のブリスターパックを格納するブリスターパック格納部と、投入部と通信可能であって、
前記プログラムは、前記プロセッサに、前記薬格納部と前記ブリスターパック格納部と前記投入部とに前記少なくとも１つの薬を選択された前記ブリスターパックに投入させるステップをさらに実行させる、請求項６から８のいずれか１項に記載のブリスターパック選択プログラム。
【請求項１０】
前記コンピュータは、前記少なくとも１つの薬を格納する薬格納部と、前記複数種類のブリスターパックの材料を格納する材料格納部と、成型部と、投入部と通信可能であって、
前記プログラムは、前記プロセッサに、
前記材料格納部と前記成型部とに前記材料から前記選択された前記ブリスターパックを成型させるステップと、
前記薬格納部と前記投入部とに前記少なくとも１つの薬を前記成型されたブリスターパックに投入させるステップとをさらに実行させる、請求項６から８のいずれか１項に記載のブリスターパック選択プログラム。
【請求項１１】
少なくとも１つの薬のそれぞれに関する少なくとも１つの薬情報を取得するステップと、
複数種類のブリスターパックの中から前記少なくとも１つの薬情報に対応するブリスターパックを選択するステップと、
前記少なくとも１つの薬を選択された前記ブリスターパックに投入させるステップとを備える、薬を内包したブリスターパックの製造方法。
【請求項１２】
前記複数のブリスターパック情報と収納能力との第１の対応関係を定めるステップをさらに備え、
前記ブリスターパックを選択するステップは、前記第１の対応関係を参照することによって当該少なくとも１つの薬情報に対応する前記ブリスターパックを選択するステップを含む、請求項１１に記載の薬を内包したブリスターパックの製造方法。
【請求項１３】
前記薬情報と薬のサイズとの第２の対応関係を定めるステップをさらに備え、
前記ブリスターパックを選択するステップは、前記第２の対応関係を参照することによって当該少なくとも１つの薬情報に対応する前記ブリスターパックを選択するステップを含む、請求項１１または１２に記載の薬を内包したブリスターパックの製造方法。
【請求項１４】
ブリスターパックの材料を用意するステップと、
前記材料から前記選択された前記ブリスターパックを成型するステップとをさらに備える、請求項１１から１３のいずれか１項に記載の薬を内包したブリスターパックの製造方法。
【発明の詳細な説明】
【技術分野】
【０００１】
本発明は、薬を包装する技術に関し、特に薬を包装するためのブリスターパック選択システム、ブリスターパック選択プログラム、および薬包装方法の技術に関する。
【背景技術】
【０００２】
錠剤を内包するブリスターパックが知られている。また、複数の薬を飲むべき患者が、一部の薬を飲み忘れたり、薬を飲み間違えたりすることを防止するために、複数の薬を一包化することが行われている。
【０００３】
たとえば、特開２００９−０００４８５号公報（特許文献１）には、薬剤パックが開示されている。特許文献１によると、薬を受容できうる空間を複数以上持った外部から視認可能な部材で作られた容器に、薬剤師が薬を受容後、シールを有する台紙にてサンドイッチ状態に圧着する。これにより、従来患者サイドで薬を整理し、薬服用を管理する労を薬剤師サイドに移すことによって、より薬服用過誤の防止化がはかられることになる。又、一視にて薬服用状況が確認可能なため、より薬管理の徹底化がはかられる。
【先行技術文献】
【特許文献】
【０００４】
【特許文献１】特開２００９−０００４８５号公報
【発明の概要】
【発明が解決しようとする課題】
【０００５】
しかしながら、１度に飲むべき薬の量または種類に応じて、適切なブリスターパックが異なる可能性がある。たとえば、毎回１つの薬を飲むべき場合に利用されるブリスターパックと、３つの薬を飲むべき場合に利用されるブリスターパックとは、好ましい形状が異なる可能性がある。
【０００６】
本発明は、かかる問題を解決するためになされたものであり、その目的は、飲むべき薬の量または種類に応じて適切なブリスターパックを選択することができる、ブリスターパック選択システム、ブリスターパック選択プログラム、および薬包装方法を提供することにある。
【課題を解決するための手段】
【０００７】
（１）
この発明のある局面に従うと、複数種類のブリスターパックのそれぞれに関する複数のブリスターパック情報を記憶するメモリと、少なくとも１つの薬のそれぞれに関する少なくとも１つの薬情報を取得して、メモリを参照することによって少なくとも１つの薬情報に対応するブリスターパックを選択するプロセッサとを備える、ブリスターパック選択システムが提供される。
【０００８】
（２）
好ましくは、メモリは、複数のブリスターパック情報と、薬の収納能力を示す情報との第１の対応関係を記憶する。プロセッサは、第１の対応関係を参照することによって当該少なくとも１つの薬情報に対応するブリスターパックを選択する。
【０００９】
（３）
好ましくは、メモリは、薬情報と薬のサイズとの第２の対応関係を記憶する。プロセッサは、第２の対応関係を参照することによって当該少なくとも１つの薬情報に対応するブリスターパックを選択する。
【００１０】
（４）
好ましくは、ブリスターパック選択システムは、少なくとも１つの薬を格納する薬格納部と、複数種類のブリスターパックを格納するブリスターパック格納部と、薬格納部からの少なくとも１つの薬をブリスター格納部からの選択されたブリスターパックに投入するための投入部とをさらに備える。
【００１１】
（５）
好ましくは、ブリスターパック選択システムは、少なくとも１つの薬を格納する薬格納部と、複数種類のブリスターパックの材料を格納する材料格納部と、材料から選択されたブリスターパックを成型する成型部と、少なくとも１つの薬を成型されたブリスターパックに投入するための投入部とをさらに備える。
【００１２】
（６）
この発明の別の局面に従うと、プロセッサと、複数種類のブリスターパックのそれぞれに関する複数のブリスターパック情報を記憶するメモリと、を含むコンピュータにブリスターパックを選択させるためのブリスターパック選択プログラムが提供される。ブリスターパック選択プログラムは、プロセッサに、少なくとも１つの薬のそれぞれに関する少なくとも１つの薬情報を取得するステップと、メモリを参照することによって少なくとも１つの薬情報に対応するブリスターパックを選択するステップとを実行させる。
【００１３】
（７）
好ましくは、メモリは、複数のブリスターパック情報と、収納能力との第１の対応関係を記憶する。ブリスターパックを選択するステップは、第１の対応関係を参照することによって当該少なくとも１つの薬情報に対応するブリスターパックを選択するステップを含む。
【００１４】
（８）
好ましくは、メモリは、薬情報と薬のサイズとの第２の対応関係を記憶する。ブリスターパックを選択するステップは、第２の対応関係を参照することによって当該少なくとも１つの薬情報に対応するブリスターパックを選択するステップを含む。
【００１５】
（９）
好ましくは、コンピュータは、少なくとも１つの薬を格納する薬格納部と、複数種類のブリスターパックを格納するブリスターパック格納部と、投入部と通信可能である。プログラムは、プロセッサに、薬格納部とブリスターパック格納部と投入部とに少なくとも１つの薬を選択されたブリスターパックに投入させるステップをさらに実行させる。
【００１６】
（１０）
好ましくは、コンピュータは、少なくとも１つの薬を格納する薬格納部と、複数種類のブリスターパックの材料を格納する材料格納部と、成型部と、投入部と通信可能である。プログラムは、プロセッサに、材料格納部と成型部とに材料から選択されたブリスターパックを成型させるステップと、薬格納部と投入部とに少なくとも１つの薬を成型されたブリスターパックに投入させるステップとをさらに実行させる。
【００１７】
（１１）
この発明の別の局面に従うと、少なくとも１つの薬のそれぞれに関する少なくとも１つの薬情報を取得するステップと、複数種類のブリスターパックの中から少なくとも１つの薬情報に対応するブリスターパックを選択するステップと、少なくとも１つの薬を選択されたブリスターパックに投入させるステップとを備える、ブリスターパックの製造方法が提供される。
【００１８】
（１２）
好ましくは、ブリスターパックの製造方法は、複数のブリスターパック情報と収納能力との第１の対応関係を定めるステップをさらに備える。ブリスターパックを選択するステップは、第１の対応関係を参照することによって当該少なくとも１つの薬情報に対応するブリスターパックを選択するステップを含む。
【００１９】
（１３）
好ましくは、ブリスターパックの製造方法は、薬情報と薬のサイズとの第２の対応関係を定めるステップをさらに備える。ブリスターパックを選択するステップは、第２の対応関係を参照することによって当該少なくとも１つの薬情報に対応するブリスターパックを選択するステップを含む。
【００２０】
（１４）
好ましくは、ブリスターパックの製造方法は、ブリスターパックの材料を用意するステップと、材料から選択されたブリスターパックを成型するステップとをさらに備える。
【発明の効果】
【００２１】
以上のように、本発明によって、飲むべき薬の量または種類に応じて、適切なブリスターパックを利用することができるようになる。
【図面の簡単な説明】
【００２２】
【図１】実施の形態１に係るブリスターパック包装システム１の動作概要を示すイメージ図である。
【図２】実施の形態１に係るブリスターパック包装システム１の構成を示すブロック図である。
【図３】本実施の形態に係る薬テーブル１２１の構造を示すイメージ図である。
【図４】本実施の形態に係るブリスターパックテーブル１２２の構造を示すイメージ図である。
【図５】本実施の形態に係る第１のブリスターパックを示すイメージ図である。
【図６】本実施の形態に係る第２のブリスターパックを示すイメージ図である。
【図７】本実施の形態に係る第３のブリスターパックを示すイメージ図である。
【図８】実施の形態１に係るコンピュータ１００における薬の包装処理を示すフローチャートである。
【図９】実施の形態１に係る包装装置２００における薬の包装処理を示すフローチャートである。
【図１０】実施の形態２に係るブリスターパック包装システム１Ｂの動作概要を示すイメージ図である。
【図１１】実施の形態２に係るブリスターパック包装システム１Ｂの構成を示すブロック図である。
【図１２】実施の形態３に係る包装装置３００の構成を示すブロック図である。
【図１３】実施の形態３に係る包装装置３００における薬の包装処理を示すフローチャートである。
【図１４】実施の形態４に係る包装装置３００Ｂの構成を示すブロック図である。
【発明を実施するための形態】
【００２３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２４】
［実施の形態１］
＜動作概要＞
まずは、本実施の形態に係るブリスターパック包装システム１の動作概要について説明する。図１は、本実施の形態に係るブリスターパック包装システム１の動作概要を示すイメージ図である。
【００２５】
図１を参照して、本実施の形態に係るブリスターパック包装システム１は、調剤薬局、病院、分包機メーカ、またはその他のセンターなどに設置されて使用される。そして、ブリスターパック包装システム１は、医者、薬剤師、看護婦、サポートマン、またはその他の使用者（これらを総称して使用者ともいう。）によって使用される。
【００２６】
本実施の形態に係るブリスターパック包装システム１は、薬を包装する包装装置２００と、当該包装装置を制御するためのコンピュータ１００とを含む。コンピュータ１００と包装装置２００とは、ネットワーク接続されていれば、同じ部屋に設置されてもよいし、別の部屋に設置されてもよい。また、コンピュータ１００と包装装置２００とは、ネットワーク接続されていれば、同じ建物に設置されてもよいし、別の建物に設置されてもよい。
【００２７】
使用者は、予め、ブリスターパック包装システム１に、複数種類のブリスターパックと複数種類の薬とを充填する。薬は、錠剤、カプセル、サプリメントを含む。複数種類のブリスターパックは、形状および／または材質が異なる。
【００２８】
使用者は、患者に薬を渡す際に以下の操作を行う。使用者は、コンピュータ１００に、患者に渡すべき薬に関する薬情報（たとえば、薬の名称または識別番号など）を入力する。コンピュータ１００は、少なくとも１つの薬情報を受け付けて、指定された少なくとも１つの薬に好ましいブリスターパックを決定する。コンピュータ１００は、薬情報とブリスターパックに関するブリスターパック情報とを、包装装置２００に送信する。
【００２９】
包装装置２００は、ブリスターパック情報に基づいて、ブリスターパックを準備する。包装装置２００は、薬情報に基づいて、薬をブリスターパックに投入する。包装装置２００は、シールでブリスターパックを密封する。
【００３０】
つまり、本実施の形態に係るブリスターパック包装システム１は、１度に飲むべき薬の量または種類に応じて、適切なブリスターパックを利用することができるようになる。
【００３１】
以下、このような機能を実現するためのブリスターパック包装システム１の構成について詳述する。
【００３２】
＜ブリスターパック包装システム１の全体構成＞
次に、本実施の形態に係るブリスターパック包装システム１の構成について説明する。図２は、本実施の形態に係るブリスターパック包装システム１の構成を示すブロック図である。
【００３３】
図２を参照して、本実施の形態に係るブリスターパック包装システム１は、コンピュータ１００と、包装装置２００とを含む。使用者は、コンピュータ１００に命令を入力することによって、包装装置２００を制御する。
【００３４】
まず、コンピュータ１００は、ＣＰＵ（Central  Processing  Unit）１１０と、メモリ１２０と、ディスプレイ１３０と、キーボード１４０と、通信インターフェイス１５０とを含む。ＣＰＵ１１０と、メモリ１２０と、ディスプレイ１３０と、キーボード１４０と、通信インターフェイス１５０とは、内部バスによって接続されている。
【００３５】
まず、メモリ１２０は、各種のＲＡＭ（Random  Access  Memory）、ＲＯＭ（Read-Only  Memory）および／またはハードディスクなどによって実現される。メモリ１２０は、ＣＰＵ１１０によって実行される制御プログラムと、薬テーブル１２１と、ブリスターパックテーブル１２２とを記憶する。なお、メモリ１２０内に記憶される薬テーブル１２１と、ブリスターパックテーブル１２２とは、更新可能である。
【００３６】
次に、薬テーブル１２１について説明する。図３は、本実施の形態に係る薬テーブル１２１の構造を示すイメージ図である。図３を参照して、本実施の形態に係る薬テーブル１２１は、薬の種類毎に、名称と、サイズを示す情報と、１日に対象の薬を飲む回数、１回に対象の薬を飲む個数、薬を飲むべきタイミング、防湿すべき程度を示す情報、遮光すべき程度を示す情報を含む。より詳細には、サイズを示す情報は、たとえば、最も長い辺（図３および図４において第１の辺）の長さ、次に長い辺（図３および図４において第２の辺）の長さ、最も短い辺（図３および図４において第３の辺）の長さ、体積などを含む。
【００３７】
次に、ブリスターパックテーブル１２２について説明する。図４は、本実施の形態に係るブリスターパックテーブル１２２の構造を示すイメージ図である。図４を参照して、本実施の形態に係るブリスターパックテーブル１２２は、ブリスターの種類毎に、マンスリー用であるか否かを示す情報、ウィークリー用であるか否かを示す情報、防湿すべき程度を示す情報、遮光すべき程度を示す情報、サイズを示す情報、収容可能個数を含む。
【００３８】
キーボード１４０は、ユーザからの命令を受け付けて、ユーザからの命令をＣＰＵ１１０に入力する。たとえば、キーボード１４０は、患者に関する情報および／または、患者に与える薬に関する情報を受け付ける。
【００３９】
ディスプレイ１３０は、ＣＰＵ１１０からの命令に基づいて、文字および／または画像を出力する。なお、コンピュータ１００は、キーボード１４０とディスプレイ１３０との代わりに、タッチパネルを含んでもよい。
【００４０】
通信インターフェイス１５０は、コンピュータ１００の外部の機器とデータ通信を行う。たとえば、ＣＰＵ１１０は、通信インターフェイス１５０を介して、包装装置２００に制御命令を送信したり、包装装置２００から動作状態を受信したりする。
【００４１】
ＣＰＵ１１０は、メモリ１２０に記憶されているプログラムを読み出して、コンピュータ１００の各部を制御する。本実施の形態に係るＣＰＵ１１０は、薬テーブル１２１を参照することによって、ユーザが入力した薬情報に基づいて薬の特徴を特定する。ＣＰＵ１１０は、ブリスターパックテーブル１２２を参照することによって、入力された薬情報に基づいてブリスターを特定する。
【００４２】
より詳細には、ＣＰＵ１１０は、薬テーブル１２１とブリスターパックテーブル１２２とを利用することによって、患者に与えるべき薬の個数、サイズ（長さおよび体積）の合計、および性質に応じた好ましいブリスターパックを選択する。ＣＰＵ１１０は、通信インターフェイス１５０を介して、少なくとも１つの指定された薬を特定するための情報と、当該少なくとも１つの指定された薬に応じたブリスターパックを特定するための情報とを包装装置２００に送信する。
【００４３】
次に、包装装置２００は、ＣＰＵ２１０と、メモリ２２０と、ブリスター格納部２３０と、薬格納部２４０と、投入部２５０と、シール部２６０と、通信インターフェイス２９０とを含む。ＣＰＵ２１０と、メモリ２２０と、ブリスター格納部２３０と、薬格納部２４０と、投入部２５０と、シール部２６０と、通信インターフェイス２９０とは、内部バスによって接続されている。
【００４４】
メモリ２２０は、ＣＰＵ２１０によって実行されるプログラムおよび／または各種のデータを格納する。
【００４５】
ＣＰＵ２１０は、包装装置２００の各部を制御する。ＣＰＵ２１０は、少なくとも１つの指定された薬を特定するための情報と、当該少なくとも１つの指定された薬に応じたブリスターパックを特定するための情報とに基づいて、ブリスター格納部２３０、薬格納部２４０、投入部２５０、シール部２６０を以下のように制御する。
【００４６】
ブリスター格納部２３０は、複数種類のブリスターパックを格納する。ＣＰＵ２１０からの命令に応じて（コンピュータ１００からの命令に応じて）、指定されたブリスターパックを投入部２５０に搬送する。
【００４７】
薬格納部２４０は、複数種類の薬を格納する。ＣＰＵ２１０からの命令に応じて（コンピュータ１００からの命令に応じて）、指定された薬を投入部２５０に搬送する。
【００４８】
投入部２５０は、ＣＰＵ２１０からの命令に応じて、ブリスター格納部２３０から搬送されてきたブリスターパックに、薬格納部２４０から搬送されてきた薬を投入する。
【００４９】
シール部２６０は、薬が投入し終わったブリスターパックをシールする。シール部２６０は、薬を内包するブリスターパックを包装装置２００の外部へと排出する
【００５０】
ここで、使用者に指定された少なくとも１つの薬を適切なブリスターパックに投入する処理について補足する。図５は、本実施の形態に係る第１のブリスターパックを示すイメージ図である。図６は、本実施の形態に係る第２のブリスターパックを示すイメージ図である。図７は、本実施の形態に係る第３のブリスターパックを示すイメージ図である。
【００５１】
図５〜図７を参照して、第１のブリスターパックは、小さい凸部（凹部）が多数形成されているものである。第３のブリスターパックは、大きい凸部（凹部）が少数形成されている。第２のブリスターパックは、第１のブリスターパックと第３のブリスターパックの間の大きさの凸部（凹部）が第１のブリスターパックと第３のブリスターパックの間の個数だけ形成されている。
【００５２】
包装装置２００のブリスター格納部２３０は、このような複数種類のブリスターパックを格納する。より詳細には、ブリスター格納部２３０は、第１〜第３のブリスターパック以外にも、１月分の薬を内包するためのブリスターパック（１ヶ月分の日付が印字されているブリスターパック）と、１週間分の薬を内包するためのブリスターパック（１週間分の曜日または日付が印字されているブリスターパック）と、保温性を有するブリスターパックと、防湿性または乾燥性を有するブリスターパックと、遮光性を有するブリスターパックなどを格納する。
【００５３】
上述したように、コンピュータ１００に記憶されているブリスターパックテーブル１２２には、上記の複数種類のブリスターパックを特定するための情報が格納されている。
【００５４】
＜コンピュータ１００における制御処理＞
次に、本実施の形態に係るにコンピュータ１００における薬の包装処理（ブリスターパックの特定処理）について説明する。図８は、本実施の形態に係るコンピュータ１００における薬の包装処理を示すフローチャートである。
【００５５】
図８を参照して、本実施の形態に係るコンピュータ１００のＣＰＵ１１０は、キーボード１４０を介して、ユーザから患者の情報および／または患者に与える薬に関する情報を受け付ける（ステップＳ１０２）。より詳細には、コンピュータ１００は、患者の情報として患者の名前および／または患者のＩＤを受け付ける。コンピュータ１００は、薬に関する情報として薬の名称および／または薬のＩＤを順次受け付ける。ＣＰＵ１１０は、キーボード１４０を介して、次の薬（２つ目の薬および３つ目の薬など）に関する情報を受け付けたか否かを判断する（ステップＳ１０４）。ＣＰＵ１１０は、次の薬に関する情報を受け付けた場合（ステップＳ１０４にてＹＥＳである場合）、ステップＳ１０２からの処理を繰り返す。
【００５６】
次の薬に関する情報を受け付けていない場合（ステップＳ１０４にてＮＯである場合）、ＣＰＵ１１０は、キーボード１４０を介して、対象となっている患者に与えるべき薬の薬情報の入力が完了したか否かを判断する（ステップＳ１０６）。薬情報の入力が完了していない場合（ステップＳ１０６にてＮＯである場合）、ステップＳ１０４からの処理を繰り返す。
【００５７】
対象となっている患者に与えるべき薬の薬情報の入力が完了した場合（ステップＳ１０６にてＹＥＳである場合）、ＣＰＵ１１０は、薬テーブル１２１およびブリスターパックテーブル１２２を参照することによって、入力された少なくとも１つの薬に関する情報に基づいて、当該少なくとも１つの薬を包装するのに好ましいブリスターパックを特定する（ステップＳ１０８）。ＣＰＵ１１０は、通信インターフェイス１５０を介して、入力された少なくとも１つの薬に関する情報と、薬に好ましいブリスターパックを示す情報とを、包装装置２００に送信する（ステップＳ１１０）。ＣＰＵ１１０は、ブリスターパックの特定処理を終了する。
【００５８】
＜包装装置２００における制御処理＞
次に、本実施の形態に係るに包装装置２００における薬の包装処理について説明する。図９は、本実施の形態に係る包装装置２００における薬の包装処理を示すフローチャートである。
【００５９】
図９を参照して、本実施の形態に係る包装装置２００のＣＰＵ２１０は、通信インターフェイス２９０を介して、コンピュータ１００から、少なくとも１つの薬に関する情報と、当該少なくとも１つの薬を包装するのに好ましいブリスターパックを特定するための情報とを、受信する（ステップＳ２０２）。
【００６０】
ＣＰＵ２１０は、ブリスターパックを特定するための情報に基づいて、ブリスター格納部２３０に、ブリスターパックを投入部２５０へと搬送させる（ステップＳ２０４）。ＣＰＵ２１０は、少なくとも１つの薬を特定するための情報に基づいて、薬格納部２４０に、ブリスターパックを投入部２５０へと搬送させる（ステップＳ２０６）。ＣＰＵ２１０は、投入部２５０に、ブリスターパックに薬を投入させる。
【００６１】
ＣＰＵ２１０は、投入部２５０に、ブリスターパックをシール部２６０へ搬送させるための信号を送る（ステップＳ２０８）。ＣＰＵ２１０は、シール部２６０に、薬が投入されたブリスターパックをシールさせる。本実施の形態においては、シール部２６０は、イージーピールフィルムでブリスターパックをシールする。シール部２６０は、シールされたブリスターパックを包装装置２００の外部へと排出する（ステップＳ２１０）。ＣＰＵ２１０は、薬の包装処理を終了する。
【００６２】
［実施の形態２］
次に、本発明の実施の形態２について説明する。上述した実施の形態１に係るブリスターパック包装システム１は、複数種類のブリスターパックを包装装置２００に充填するものであった。しかしながら、包装装置にブリスターパックの原料が充填され、包装装置が複数種類のブリスターパックを成型するものであってもよい。
【００６３】
以下では、包装装置が複数種類のブリスターパックを成型するブリスターパック包装システム１Ｂについて説明する。ただし、実施の形態１に係るブリスターパック包装システム１と同様の構成については、ここでは説明を繰り返さない。
【００６４】
＜動作概要＞
まずは、本実施の形態に係るブリスターパック包装システム１Ｂの動作概要について説明する。図１０は、本実施の形態に係るブリスターパック包装システム１Ｂの動作概要を示すイメージ図である。
【００６５】
図１０を参照して、本実施の形態に係るブリスターパック包装システム１Ｂは、包装装置２００Ｂが、ブリスターパック情報に基づいて、原料からブリスターパックを成型する点において、実施の形態１に係るブリスターパック包装システム１と異なる。つまり、本実施の形態に係るブリスターパック包装システム１Ｂも、１度に飲むべき薬の量または種類に応じて、適切なブリスターパックを利用することができるようになる。以下、このような機能を実現するためのブリスターパック包装システム１Ｂの構成について詳述する。
【００６６】
＜ブリスターパック包装システム１Ｂの全体構成＞
本実施の形態に係るブリスターパック包装システム１Ｂの構成について説明する。図１１は、本実施の形態に係るブリスターパック包装システム１Ｂの構成を示すブロック図である。
【００６７】
図１１を参照して、本実施の形態に係る包装装置２００Ｂは、ＣＰＵ２１０と、メモリ２２０と、ブリスター成型部２７０と、材料格納部２７５と、薬格納部２４０と、投入部２５０と、シール部２６０と、通信インターフェイス２９０とを含む。ＣＰＵ２１０と、メモリ２２０と、ブリスター成型部２７０と、材料格納部２７５と、薬格納部２４０と、投入部２５０と、シール部２６０と、通信インターフェイス２９０とは、内部バスによって接続されている。
【００６８】
すなわち、本実施の形態に係る包装装置２００Ｂは、ブリスター成型部２７０と材料格納部２７５とを有している点において、ブリスター成型部２７０を有する実施の形態１に係る包装装置２００と異なる。
【００６９】
材料格納部２７５は、ブリスターパック（シールを含む）を成型するために必要な材料を格納する。なお、ブリスターパック（シールを含む）を成型するために必要な材料としては、ロール状のシート、既にブリスターパックのサイズに切り分けられた板状のシート、または樹脂の粒子などが挙げられる。
【００７０】
ブリスター成型部２７０は、ＣＰＵ２１０からの命令に応じて（コンピュータ１００からの命令に応じて）、ブリスターパックを特定するための情報に基づいて、要求されているブリスターパックを成型するのに必要な材料を材料格納部２７５から取り出す。ブリスター成型部２７０は、材料からブリスターパックを成型する。ブリスター成型部２７０は、指定されたブリスターパックを投入部２５０に搬送する。
【００７１】
ただし、ブリスター成型部２７０は、複数種類のブリスターパックのそれぞれを成型するための複数の成型機によって実現されてもよい。あるいは、ブリスター成型部２７０は、複数種類のブリスターパックのそれぞれを成型するための複数の成型機にブリスターパックの成型を要求する命令を送信する通信インターフェイスと、成型されたブリスターパックを受け取るユニットとによって実現されてもよい。例えば、コンピュータまたは包装装置が一つのブリスターパックの種類を選択したら、当該選択に対応する一つの成型機がブリスターパックを成型する。
【００７２】
図５〜図７を参照して、包装装置２００Ｂのブリスター成型部２７０は、複数種類のブリスターパックを成型する。より詳細には、ブリスター成型部２７０は、第１〜第３のブリスターパック以外にも、１月分の薬を内包するためのブリスターパック（１ヶ月分の日付が印字されているブリスターパック）と、１週間分の薬を内包するためのブリスターパック（１週間分の曜日または日付が印字されているブリスターパック）と、保温性を有するブリスターパックと、防湿性または乾燥性を有するブリスターパックと、遮光性を有するブリスターパックなどを成型する。
【００７３】
なお、包装装置２００Ｂにおける制御処理に関しては、再度図９を参照して、ＣＰＵ２１０が、ブリスターパックを特定するための情報に基づいて、ブリスター成型部２７０（と材料格納部２７５）に、ブリスターパックを成型させる点において、実施の形態１と異なる。
【００７４】
その他の構成については、実施の形態１に記載のブリスターパック包装システム１と同様であるため、ここでは説明を繰り返さない。
【００７５】
［実施の形態３］
次に、本発明の実施の形態３について説明する。上述した実施の形態１に係るブリスターパック包装システム１は、使用者が薬の情報を入力するコンピュータ１００と、ブリスターパックに薬を投入する包装装置２００とが異なる装置であった。しかしながら、コンピュータと包装装置とは１つの同じ装置であってもよい。つまり、ブリスターパック包装システムは、複数の装置が通信するシステムでなくても、１つの装置で実現することも可能である。
【００７６】
以下では、図１２を参照して、コンピュータと包装装置とが１つの同じ装置である場合について説明する。すなわち、本実施の形態においては、包装装置３００がブリスターパック包装システムを実現する。ただし、実施の形態１に係るブリスターパック包装システム１と同様の構成については、ここでは説明を繰り返さない。図１２は、本実施の形態に係る包装装置３００の構成を示すブロック図である。
【００７７】
＜動作概要＞
まずは、本実施の形態に係る包装装置３００の動作概要について説明する。上述したように、本実施の形態に係るブリスターパック包装システムは、薬を包装する包装装置３００のみを含む。
【００７８】
使用者は、予め、包装装置３００に、複数種類のブリスターパックと複数種類の薬とを充填する。薬は、錠剤、カプセル、サプリメントを含む。複数種類のブリスターパックは、形状および／または材質が異なる。
【００７９】
使用者は、患者に薬を渡す際に以下の操作を行う。使用者は、包装装置３００に、患者に渡すべき薬に関する薬情報を入力する。包装装置３００は、薬情報を受け付けて、薬に好ましいブリスターパックを決定する。
【００８０】
包装装置３００は、薬情報とブリスターパック情報とに基づいて、ブリスターパックを準備する。包装装置３００は、薬情報に基づいて、薬をブリスターパックに投入する。包装装置３００は、シールでブリスターパックを密封する。
【００８１】
つまり、本実施の形態に係る包装装置３００は、１度に飲むべき薬の量または種類に応じて、適切なブリスターパックを利用することができるようになる。以下、このような機能を実現するための包装装置３００の構成について詳述する。
【００８２】
＜包装装置３００の全体構成＞
次に、本実施の形態に係る包装装置３００の構成について説明する。包装装置３００は、ＣＰＵ３１０と、メモリ３２０と、ディスプレイ３３０と、キーボード（スイッチ）３４０と、ブリスター格納部３５０と、薬格納部３６０と、投入部３７０と、シール部３８０とを含む。ＣＰＵ３１０と、メモリ３２０と、ディスプレイ３３０と、キーボード３４０と、ブリスター格納部３５０と、薬格納部３６０と、投入部３７０と、シール部３８０とは、内部バスによって接続されている。
【００８３】
まず、メモリ３２０は、各種のＲＡＭ、ＲＯＭおよび／またはハードディスクなどによって実現される。メモリ３２０は、ＣＰＵ３１０によって実行される制御プログラムと、薬テーブル１２１と、ブリスターパックテーブル１２２とを記憶する。なお、メモリ３２０内に記憶される薬テーブル１２１と、ブリスターパックテーブル１２２とは、更新可能である。
【００８４】
キーボード３４０は、ユーザからの命令を受け付けて、ユーザからの命令をＣＰＵ３１０に入力する。たとえば、キーボード３４０は、患者に関する情報および／または患者に与える薬に関する情報を受け付ける。
【００８５】
ディスプレイ３３０は、ＣＰＵ３１０からの命令に基づいて、文字および／または画像を出力する。なお、包装装置３００は、キーボード３４０とディスプレイ３３０との代わりに、タッチパネルを含んでもよい。
【００８６】
ＣＰＵ３１０は、メモリ３２０に記憶されているプログラムを読み出して、包装装置３００の各部を制御する。本実施の形態に係るＣＰＵ３１０は、薬テーブル１２１を参照することによって、ユーザが入力した薬情報に基づいて薬の特徴を特定する。ＣＰＵ３１０は、ブリスターパックテーブル１２２を参照することによって、入力された薬情報に基づいてブリスターを特定する。
【００８７】
より詳細には、ＣＰＵ３１０は、薬テーブル１２１とブリスターパックテーブルとを利用することによって、患者に与えるべき薬の量、サイズ、または性質に応じた好ましいブリスターパックを選択する。ＣＰＵ３１０は、少なくとも１つの指定された薬を特定するための情報と、当該少なくとも１つの指定された薬に応じたブリスターパックを特定するための情報とに基づいて、ブリスター格納部３５０、薬格納部３６０、投入部３７０、シール部３８０を以下のように制御する。
【００８８】
ブリスター格納部３５０は、複数種類のブリスターパックを格納する。ＣＰＵ３１０からの命令に応じて、指定されたブリスターパックを投入部３７０に搬送する。
【００８９】
薬格納部３６０は、複数種類の薬を格納する。ＣＰＵ３１０からの命令に応じて、指定された薬を投入部３７０に搬送する。
【００９０】
投入部３７０は、ＣＰＵ３１０からの命令に応じて、ブリスター格納部３５０から搬送されてきたブリスターパックに、薬格納部３６０から搬送されてきた薬を投入する。
【００９１】
シール部３８０は、薬が投入し終わったブリスターパックをシールする。シール部３８０は、薬を内包するブリスターパックを包装装置３００の外部へと排出する。
【００９２】
実施の形態１と同様に、図５〜図７を参照して、包装装置３００のブリスター格納部３５０は、複数種類のブリスターパックを格納する。より詳細には、ブリスター格納部３５０は、第１〜第３のブリスターパック以外にも、１月分の薬を内包するためのブリスターパック（１ヶ月分の日付が印字されているブリスターパック）と、１週間分の薬を内包するためのブリスターパック（１週間分の曜日または日付が印字されているブリスターパック）と、保温性を有するブリスターパックと、防湿性または乾燥性を有するブリスターパックと、遮光性を有するブリスターパックなどを格納する。
【００９３】
＜包装装置３００における制御処理＞
次に、本実施の形態に係るに包装装置３００における薬の包装処理について説明する。図１３は、本実施の形態に係る包装装置３００における薬の包装処理を示すフローチャートである。
【００９４】
図１３を参照して、本実施の形態に係る包装装置３００のＣＰＵ３１０は、キーボード３４０を介して、ユーザから患者の情報および／または患者に与える薬に関する情報を受け付ける（ステップＳ３０２）。ＣＰＵ３１０は、キーボード３４０を介して、次の薬に関する情報を受け付けたか否かを判断する（ステップＳ３０４）。ＣＰＵ３１０は、次の薬に関する情報を受け付けた場合（ステップＳ３０４にてＹＥＳである場合）、ステップＳ３０２からの処理を繰り返す。
【００９５】
次の薬に関する情報を受け付けていない場合（ステップＳ３０４にてＮＯである場合）、ＣＰＵ３１０は、キーボード３４０を介して、薬情報の入力が完了したか否かを判断する（ステップＳ３０６）。薬情報の入力が完了していない場合（ステップＳ３０６にてＮＯである場合）、ステップＳ３０４からの処理を繰り返す。
【００９６】
薬情報の入力が完了した場合（ステップＳ３０６にてＹＥＳである場合）、ＣＰＵ３１０は、薬テーブル１２１およびブリスターパックテーブル１２２を参照することによって、入力された少なくとも１つの薬に関する情報に基づいて、当該少なくとも１つの薬を包装するのに好ましいブリスターパックを特定する（ステップＳ３０８）。
【００９７】
ＣＰＵ３１０は、ブリスターパックを特定するための情報に基づいて、ブリスター格納部３５０に、ブリスターパックを投入部３７０へと搬送させる（ステップＳ３１０）。ＣＰＵ３１０は、少なくとも１つの薬を特定するための情報に基づいて、薬格納部３６０に、ブリスターパックを投入部３７０へと搬送させる（ステップＳ３１２）。ＣＰＵ３１０は、投入部３７０に、ブリスターパックに薬を投入させる。
【００９８】
ＣＰＵ３１０は、投入部３７０にブリスターパックをシール部３８０へ搬送させる（ステップＳ３１４）。ＣＰＵ３１０は、シール部３８０に、薬が投入されたブリスターパックをシールさせる。本実施の形態においては、シール部３８０は、イージーピールフィルムでブリスターパックをシールする。シール部３８０は、シールされたブリスターパックを包装装置３００の外部へと排出する（ステップＳ３１６）。ＣＰＵ３１０は、薬の包装処理を終了する。
【００９９】
［実施の形態４］
次に、本発明の実施の形態４について説明する。上述した実施の形態３に係る包装装置３００は、複数種類のブリスターパックを包装装置３００に充填するものであった。しかしながら、包装装置にブリスターパックの原料が充填され、包装装置が複数種類のブリスターパックを成型するものであってもよい。
【０１００】
以下では、図１４を参照して、複数種類のブリスターパックを成型するための包装装置３００Ｂについて説明する。すなわち、本実施の形態においては、包装装置３００Ｂがブリスターパック包装システムを実現する。ただし、実施の形態１に係るブリスターパック包装システム１と実施の形態３に係る包装装置３００と同様の構成については、ここでは説明を繰り返さない。図１４は、本実施の形態に係る包装装置３００Ｂの構成を示すブロック図である。
【０１０１】
＜動作概要＞
本実施の形態に係る包装装置３００Ｂは、ブリスターパック情報に基づいて、原料からブリスターパックを成型する点において、実施の形態３に係る包装装置３００と異なる。包装装置３００Ｂは、薬情報に基づいて、成型されたブリスターパックに指定された少なくとも１つの薬を投入する。包装装置３００Ｂは、シールでブリスターパックを密封する。
【０１０２】
つまり、本実施の形態に係る包装装置３００Ｂも、１度に飲むべき薬の量または種類に応じて、適切なブリスターパックを利用することができるようになる。以下、このような機能を実現するための包装装置３００Ｂの構成について詳述する。
【０１０３】
＜包装装置３００の全体構成＞
次に、本実施の形態に係る包装装置３００の構成について説明する。包装装置３００は、ＣＰＵ３１０と、メモリ３２０と、ディスプレイ３３０と、キーボード（スイッチ）３４０と、ブリスター成型部３９０と、材料格納部３９５と、薬格納部３６０と、投入部３７０と、シール部３８０とを含む。ＣＰＵ３１０と、メモリ３２０と、ディスプレイ３３０と、キーボード３４０と、ブリスター成型部３９０と、材料格納部３９５と、薬格納部３６０と、投入部３７０と、シール部３８０とは、内部バスによって接続されている。
【０１０４】
すなわち、本実施の形態に係る包装装置３００Ｂは、ブリスター成型部３９０と材料格納部３９５とを有している点において、ブリスター格納部３５０を有する実施の形態３に係る包装装置３００と異なる。
【０１０５】
材料格納部３９５は、ブリスターパック（シールを含む）を成型するために必要な材料を格納する。なお、ブリスターパック（シールを含む）を成型するために必要な材料としては、ロール状のシート、既にブリスターパックのサイズに切り分けられた板状のシート、または樹脂の粒子などが挙げられる。
【０１０６】
ブリスター成型部３９０は、ＣＰＵ３１０からの命令に応じて、ブリスターパックを特定するための情報に基づいて、要求されているブリスターパックを成型するのに必要な材料を材料格納部３９５から取り出す。ブリスター成型部３９０は、材料からブリスターパックを成型する。ブリスター成型部３９０は、指定されたブリスターパックを投入部３７０に搬送する。
【０１０７】
図５〜図７を参照して、包装装置３００Ｂのブリスター成型部３９０は、複数種類のブリスターパックを成型する。より詳細には、ブリスター成型部３９０は、第１〜第３のブリスターパック以外にも、１月分の薬を内包するためのブリスターパック（１ヶ月分の日付が印字されているブリスターパック）と、１週間分の薬を内包するためのブリスターパック（１週間分の曜日または日付が印字されているブリスターパック）と、保温性を有するブリスターパックと、防湿性または乾燥性を有するブリスターパックと、遮光性を有するブリスターパックなどを成型する。
【０１０８】
なお、包装装置３００Ｂにおける制御処理に関しては、再度図１３を参照して、ステップＳ３１０において、ＣＰＵ３１０が、ブリスターパックを特定するための情報に基づいて、ブリスター成型部３９０（と材料格納部３９５）に、ブリスターパックを成型させる点において、実施の形態３と異なる。
【０１０９】
その他の構成については、実施の形態１に記載のブリスターパック包装システム１および実施の形態３に記載の包装装置３００と同様であるため、ここでは説明を繰り返さない。
【０１１０】
［その他の実施の形態］
なお、本発明は、システムまたは装置にプログラムを供給することによって達成される場合にも適用できることはいうまでもない。そして、本発明を達成するためのソフトウェアによって表されるプログラムを格納した記憶媒体を、システムまたは装置に供給し、そのシステムまたは装置のコンピュータ（またはＣＰＵまたはＭＰＵ（Micro  Processing  Unit））が記憶媒体に格納されたプログラムコードを読出し実行することによっても、本発明の効果を享受することが可能となる。
【０１１１】
この場合、記憶媒体から読出されたプログラムコード自体が前述した実施の形態の機能を実現することになり、そのプログラムコードを記憶した記憶媒体は本発明を構成することになる。
【０１１２】
また、コンピュータが読出したプログラムコードを実行することにより、前述した実施の形態の機能が実現されるだけでなく、そのプログラムコードの指示に基づき、コンピュータ上で稼動しているＯＳ（Operation  System）などが実際の処理の一部または全部を行い、その処理によって前述した実施の形態の機能が実現されてもよい。
【０１１３】
さらに、記憶媒体から読み出されたプログラムコードが、コンピュータに挿入された機能拡張ボードおよび／またはコンピュータに接続された機能拡張ユニットに備わるメモリに書き込まれた後、そのプログラムコードの指示に基づき、その機能拡張ボードおよび／または機能拡張ユニットに備わるＣＰＵなどが実際の処理の一部または全部を行い、その処理によって前述した実施の形態の機能が実現されてもよい。
【０１１４】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１１５】
１，１Ｂ  ブリスターパック包装システム
１００  コンピュータ
１２０  メモリ
１２１  薬テーブル
１２２  ブリスターパックテーブル
１３０  ディスプレイ
１４０  キーボード
１５０  通信インターフェイス
２００  包装装置
２００Ｂ  包装装置
２２０  メモリ
２３０  ブリスター格納部
２４０  薬格納部
２５０  投入部
２６０  シール部
２７０  ブリスター成型部
２７５  材料格納部
２９０  通信インターフェイス
３００，３００Ｂ  包装装置
３２０  メモリ
３３０  ディスプレイ
３４０  キーボード
３５０  ブリスター格納部
３６０  薬格納部
３７０  投入部
３８０  シール部
３９０  ブリスター成型部
３９５  材料格納部。
【図１】
2013118921.tif 000003
【図２】
2013118921.tif 000004
【図３】
2013118921.tif 000005
【図４】
2013118921.tif 000006
【図５】
2013118921.tif 000007
【図６】
2013118921.tif 000008
【図７】
2013118921.tif 000009
【図８】
2013118921.tif 000010
【図９】
2013118921.tif 000011
【図１０】
2013118921.tif 000012
【図１１】
2013118921.tif 000013
【図１２】
2013118921.tif 000014
【図１３】
2013118921.tif 000015
【図１４】
2013118921.tif 000016